(57)【要約】【課題】  コスト、スペースを要する充電設備を必要最低限に抑えて経済性、省スペース性を向上させて、パレットに搭載された電気車両に対して円滑に充電することができる立体駐車設備を提供すること。【解決手段】  駐車部５は、バッテリを駆動源とする電気車両のバッテリを充電するための充電器６１に連係した駐車部側接続部を備える充電用駐車部５Ａを少なくとも１箇所備え、パレットは、充電用駐車部に格納して電気車両の充電用接続口に接続される充電側接続部８を前記駐車部側接続部と接続させるパレット側接続部を備えた充電用パレット５２Ａを有し、この充電用パレット５２Ａは、前記充電用駐車部５Ａの数よりも少なくとも１枚以上多い枚数が備えられると共に、この充電用パレット５２Ａを含むすべてのパレットの総数は、前記充電用駐車部５Ａを含むすべての駐車部５の総数に対し、１乃至充電用駐車部５Ａの個数分少ないようにする。【選択図】  図１
2010112027.tif 000002
【特許請求の範囲】
【請求項１】
車両を搭載したパレットを格納する複数の駐車部を備えるとともに、車両入出庫部と該駐車部との間で前記パレットを搬送する搬送手段を備えた立体駐車設備であって、
前記駐車部は、バッテリを駆動源とする電気車両の、該バッテリを充電するための充電器に連係した駐車部側接続部を備える充電用駐車部を少なくとも１箇所備え、
前記パレットは、前記充電用駐車部に格納して、前記電気車両の充電用接続口に接続される充電側接続部を前記駐車部側接続部と接続させるパレット側接続部を備えた充電用パレットを有し、
該充電用パレットは、前記充電用駐車部の数よりも少なくとも1枚以上多い枚数が備えられると共に、
該充電用パレットを含むすべてのパレットの総数は、前記充電用駐車部を含むすべての駐車部の総数に対し、１乃至充電用駐車部の個数分少ないことを特徴とする充電機能を備えた立体駐車設備。
【請求項２】
前記充電器からの通電を制御する制御装置を有し、
該制御装置は、前記充電器からの通電を開始する条件の一つとして、前記充電側接続部と前記駐車部側接続部との接続後における、前記搬送手段によるパレット搬送手順の所定段階の完了を条件としている請求項１に記載の充電機能を備えた立体駐車設備。
【請求項３】
前記充電器からの通電を制御する制御装置を有し、
該制御装置は、前記充電器からの通電を終了する条件として、通電の開始後所定の時間が経過したこと、充電中の電気車両に対する出庫呼びがかかったこと、充電電流又は電圧が所定の値に達したこと、のいずれか１つ又は任意の組み合わせとしている請求項１又は２に記載の充電機能を備えた立体駐車設備。
【請求項４】
前記制御装置は、
前記充電用パレットに搭載された電気車両に充電が必要であることを識別する機能と、
前記充電用駐車部以外の駐車部に格納されている充電用パレットが少なくとも１枚存在する場合、該充電用駐車部の充電用パレットに搭載した電気車両の充電条件に基いて、該充電用パレットを充電用駐車部から移送させた後、前記充電が必要な電気車両を搭載した充電用パレットを該充電用駐車部に移送して電気車両に充電する機能とを具備している請求項１〜３のいずれか１項に記載の充電機能を備えた立体駐車設備。
【請求項５】
前記駐車部側接続部は、所定長さの接触電線であり、
前記パレット側接続部は、該接触電線に接触して通電する集電装置である請求項１〜４のいずれか１項に記載の充電機能を備えた立体駐車設備。
【請求項６】
前記立体駐車設備は、エレベータ式立体駐車設備である請求項１〜５のいずれか１項に記載の充電機能を備えた立体駐車設備。
【請求項７】
前記充電器からの通電開始の条件が、前記搬送手段によるパレット横送り動作の完了である請求項２〜６のいずれか１項に記載の充電機能を備えた立体駐車設備。
【請求項８】
前記制御装置の充電が必要であることを識別する機能を、入庫時の操作者による操作によって判断するようにした請求項４〜７のいずれか１項に記載の充電機能を備えた立体駐車設備。
【請求項９】
前記制御装置は、前記充電器による充電完了／未完了の識別判断と連係してパレットの識別情報を出力する機能を備えている請求項３〜８のいずれか１項に記載の充電機能を備えた立体駐車設備。
【発明の詳細な説明】
【技術分野】
【０００１】
本発明は、パレットに搭載した電気車両のバッテリを充電する機能を備えた立体駐車設備に関する。
【背景技術】
【０００２】
従来、内燃機関を動力源とする自動車を駐車させるための機械式駐車装置として、エレベータ式駐車装置、平面往復式駐車装置、多段式駐車装置等の立体駐車装置が広く利用されている。
【０００３】
一方、近年、内燃機関に代えて電動機を動力源とした電気自動車の利用が増えている。この電気自動車は排気ガスを放出しないため環境保全上優れているが、従来の燃料の代わりに電気をバッテリに充電する必要がある。しかし、この充電には通常長時間を要するため、上記したような駐車装置に格納している時間を利用して充電しようとする立体駐車装置が発明されている。
【０００４】
例えば、本出願人は、充電する機能を備えた駐車装置として、エレベータ式立体駐車装置の各駐車棚奥部（反昇降路側）に、パレット側に設けられた雌型コネクタに駐車棚側の雄型コネクタをソレノイドによって係合離脱可能なようにした回路接続部を設け、駐車中にソレノイドで回路接続部を接続して充電するようにしたものを発明している（例えば、特許文献１参照）。
【０００５】
また、他の従来技術として、エレベータ式立体駐車装置において、立体駐車装置側に充電器を設け、パレット移動方向に対向して設けた接点によってパレットと駐車棚側とを接続するようにしたものもある（例えば、特許文献２参照）。
【０００６】
さらに、他の技術として、回転式立体駐車装置、エレベータスライド式立体駐車装置、リフト・スライド式立体駐車装置、及び簡易立体駐車装置等における、電源供給機構、充電量計測機構及び決済機構の構成を提供しようとしたものもある（例えば、特許文献３参照）。
【特許文献１】特許第２７８９０６２号公報
【特許文献２】特許第２９０８９４０号公報
【特許文献３】特許第２７８３７２８号公報
【発明の開示】
【発明が解決しようとする課題】
【０００７】
しかしながら、上記特許文献１〜３では、充電用パレットと充電用駐車部とを同数設け、充電用パレットに搭載された電気車両は格納した駐車部で充電するようになっているため、充電器の個数が多くなるとともに、これに伴う配線や接続手段も必要となり、スペース及びコストの増加や、部品が増えることによる故障率の増加で信頼性が低下する。
【０００８】
特に上記特許文献２の場合には、駐車部へのパレットの搬出入で自動的に通電が開始／終了するようにしているため、通電したままでの接点断続により放電が生じ、接点が損傷や磨耗するおそれがある。
【０００９】
さらに、特に上記特許文献３の場合には、充電器をパレットに搭載しているので、適用する電池の種類によっては充電器がかなり大型になるため、パレットの駐車に供するスペースが削られたり、装置全体が大型化するおそれがある。しかも、充電器からの通電開始を接続検知センサで行っているが、このように専用のセンサを設けることは経済的ではない。その上、過充電センサも設けているが、経済的ではないとともに、過充電の有無を検知するタイミングによっては過充電に陥るおそれもある。
【００１０】
しかも、これらはいずれもパレットを入庫時の格納位置から出庫時まで移動させないので、入出庫口から遠い駐車棚に格納された車両は搬送装置による移動距離が長く、出庫時の待ち時間が長い。
【００１１】
そこで、本発明は、コスト、スペースを要する充電設備を必要最低限に抑えて経済性、省スペース性を向上させて、パレットに搭載された電気車両に対して円滑に充電することができる立体駐車設備を提供することを目的とする。
【課題を解決するための手段】
【００１２】
上記目的を達成するために、本発明は、車両を搭載したパレットを格納する複数の駐車部を備えるとともに、車両入出庫部と該駐車部との間で前記パレットを搬送する搬送手段を備えた立体駐車設備であって、前記駐車部は、バッテリを駆動源とする電気車両の、該バッテリを充電するための充電器に連係した駐車部側接続部を備える充電用駐車部を少なくとも１箇所備え、前記パレットは、前記充電用駐車部に格納して、前記電気車両の充電用接続口に接続される充電側接続部を前記駐車部側接続部と接続させるパレット側接続部を備えた充電用パレットを有し、該充電用パレットは、前記充電用駐車部の数よりも少なくとも１枚以上多い枚数が備えられると共に、該充電用パレットを含むすべてのパレットの総数は、前記充電用駐車部を含むすべての駐車部の総数に対し、１乃至充電用駐車部の個数分少ないことを特徴とする。この明細書及び特許請求の範囲の書類中における「電気車両」は、道路交通法で定める自動車及び原動機付自転車、及び、２輪乃至８輪、その他の車輪数やクローラも含み、軌道や架線を必要としない車両で、電動モータの動力（エンジンや人力の併用、例えばプラグインハイブリッドや電動アシストを含む）で走行することのできるものをいう。また、この明細書及び特許請求の範囲の書類中における、「充電側接続部」は、充電用ケーブル、充電ケーブル用コンセント等、電気車両との接続部をいう。これにより、充電用駐車部の数よりも１枚以上多い充電用パレットを順次充電用駐車部に移動させて、この充電用パレットに搭載されている電気車両を順次充電することができるので、コスト、スペースを消費する充電設備（充電器、配線等）を必要最低限に抑え、経済性、省スペース性を向上させた立体駐車設備を構成することができる。しかも、駐車部の空きスペースをパレットの一時格納用等に利用して、円滑な充電作業を行って待ち時間を短縮した効率的な充電ができる。
【００１３】
また、前記充電器からの通電を制御する制御装置を有し、該制御装置は、前記充電器からの通電を開始する条件の一つとして、前記充電側接続部と前記駐車部側接続部との接続後における、前記搬送手段によるパレット搬送手順の所定段階の完了を条件としていてもよい。このようにすれば、充電側接続部と駐車部側接続部との接続時に、接続部分には電圧がかかっていないようにして、接続時におけるアーク放電を防止することができる。
【００１４】
さらに、前記充電器からの通電を制御する制御装置を有し、該制御装置は、前記充電器からの通電を終了する条件として、通電の開始後所定の時間が経過したこと、充電中の電気車両に対する出庫呼びがかかったこと、充電電流又は電圧が所定の値に達したこと、のいずれか１つ又は任意の組み合わせとしてもよい。このようにすれば、時間経過、出庫呼び、電流又は電圧の値、のいずれか又は組み合わせでバッテリの安定した充電と過充電の防止を図ることができる。
【００１５】
また、前記制御装置は、前記充電用パレットに搭載された電気車両に充電が必要であることを識別する機能と、前記充電用駐車部以外の駐車部に格納されている充電用パレットが少なくとも１枚存在する場合、該充電用駐車部の充電用パレットに搭載した電気車両の充電条件に基いて、該充電用パレットを充電用駐車部から移送させた後、前記充電が必要な電気車両を搭載した充電用パレットを該充電用駐車部に移送して電気車両に充電する機能とを具備していてもよい。上記「充電が必要であることを識別する機能」としては、例えば、入庫時の運転盤操作で充電ボタンが押されたことを検知する、電気車両の充電用接続口がパレットの充電側接続部に接続されていることを電気的に検知する、入庫後に充電が行われていないことを検知する、等がある。上記「所定の条件」とは、充電器からの通電終了や、充電用駐車部の滞在時間が所定の時間に達したこと、等がある。このようにすれば、充電完了した電気車両を搭載した充電用パレットをパレットが格納されていない駐車部に移送したり、出庫呼びがかかった場合には車両入出庫部に移送して車両を退出させた後、その充電用パレットを他のパレットが格納されていない駐車部に移送するとともに、充電が必要な電気車両を搭載した充電用パレットを該充電用駐車部に移送して充電することができ、効率的に電気車両の充電を行うことができる。
【００１６】
さらに、前記駐車部側接続部は、所定長さの接触電線であり、前記パレット側接続部は、該接触電線に接触して通電する集電装置であってもよい。このようにすれば、充電用パレットを格納することによって、集電装置が接触電線に接して給電が行われるので、安定した給電を行うことができる。
【００１７】
また、前記立体駐車設備は、エレベータ式立体駐車設備であってもよい。このようにすれば、効率的にパレットを入替えて搭載した電気車両に効率良く充電するエレベータ式立体駐車設備を構成することができる。
【００１８】
さらに、前記充電器からの通電開始の条件が、前記搬送手段によるパレット横送り動作の完了であってもよい。このようにすれば、充電用パレットを横送りする搬送手段の横送り動作完了に連動して充電を開始することができ、充電開始時のアーク放電等を防止しつつ、迅速に充電を開始することができる。
【００１９】
また、前記制御装置の充電が必要であることを識別する機能を、入庫時の操作者による操作によって判断するようにしてもよい。この利用者による操作としては、上記したように、運転盤でのボタン操作、充電側接続部の接続等がある。このようにすれば、入庫時の利用者の操作によって充電が必要であることを識別して記憶し、駐車中の時間を利用して自動的に充電するようにできる。
【００２０】
さらに、前記制御装置は、前記充電器による充電完了／未完了の識別判断と連係してパレットの識別情報を出力する機能を備えていてもよい。この「パレットの識別情報」としては、パレット番号、契約者ＩＤ、車両ＩＤなどが含まれる。また、「出力」としては、例えば、運転盤に表示、データ転送などである。このようにすれば、利用者が自動車利用前に充電状態等を知ることができ、その後の充電又は運転を選択するための参考とすることができる。
【発明の効果】
【００２１】
本発明によれば、充電設備を必要最小限に抑えつつ稼働率を高めることで経済性と省スペース性を兼ね、多くの電気車両に充電することができる立体駐車設備を提供することが可能となる。
【発明を実施するための最良の形態】
【００２２】
以下、本発明の一実施の形態を図面に基づいて説明する。図１は、本発明をエレベータ式立体駐車設備に適用した一実施の形態を示す全体正面図である。図２は、図１に示す立体駐車設備の駐車部における電気自動車の充電状態を示す図面であり、(a) は正面図、(b) は側面図である。図３は、図２に示す駐車部における充電用パレットの他の例を示す正面図であり、図４は、図２に示す駐車部における充電用パレットの更に他の例を示す平面図である。図５は、図１に示す立体駐車設備における運転盤の一例を示す正面図である。この実施の形態では、立体駐車設備の一例としてエレベータ式の立体駐車設備を例に説明する。また、この明細書及び特許請求の範囲の書類中における上下左右方向の概念は、図１に示すように立体駐車設備の正面に向った状態の上下左右方向の概念と一致するものとする。
【００２３】
図１に示すように、この立体駐車設備１は、地上部に入出庫口（図示省略）を開口した駐車塔２内に、各種車両を格納する駐車装置３が設けられている。この駐車装置３は、矩形状の車両用昇降台４１を有する昇降装置４を備えたエレベータ方式であり、この昇降台４１がパレット５２を載せて昇降する昇降路２１の両側部に車両７を格納する多数の駐車部５（５Ａ,５Ｂ）が上下方向に多層で形成されている。上記昇降路２１の最下段部が入出庫部２２になっており、この入出庫部２２に上記入出庫口が設けられている。また、上記各駐車部５には、駐車塔２に一体的に固定された駐車棚５１に２本の棚レール（図示省略）が左右方向に敷設されており、車両を搭載する矩形状のパレット５２（５２Ａ，５２Ｂ）が昇降路２１から棚レール上に移載されて左右方向に横行するようになっている。
【００２４】
このパレット５２の横行は、上記昇降台４１が図示しないパレット横行手段を備えており、このパレット横行手段によって、車両を載せた状態又は空の状態のパレット５２を、昇降台４１上から駐車棚５１へ移載（払い出し動作）及び駐車棚５１から昇降台４１上へ移載（引き込み動作）することができるようになっている。
【００２５】
上記昇降装置４の昇降台４１は、４隅に連結されたワイヤロープ４２で昇降路２１の上端から吊り下げられており、駐車部５の最上段から入出庫部２２に至る間を昇降できるようになっている。この昇降は、ワイヤロープ４２を昇降路２１の上端に設けられ且つ駆動モータ４４で回転駆動される駆動プーリ４３，４５に掛け、このワイヤロープ４２の一端側を上記昇降台４１に、他端側をバランスウエイト（図示省略）に連結して、駆動モータ４４で駆動プーリ４３，４５を回転駆動することによって、ワイヤロープ４２で昇降台４１を所定の駐車棚５１との接続位置に移動させるようになっている。
【００２６】
また、上記駐車部５は、この実施の形態では高さが異なる２種類となっており、場所によりその空間の高さが低空間Ｌ及び高空間Ｈとなっている。低空間Ｌの駐車部５には、セダンなどの標準高さの車両７（Ｌ）を、高空間Ｈの駐車部５には、標準高さの車両７（Ｌ）に加えてワンボックスカーやスポーツ多目的車（ＳＵＶ）などの車高の高い車両７（Ｈ）を格納することができるようになっている。
【００２７】
このように駐車部５の高さを２種類に形成するのは一例であり、各駐車部５に格納できる車両７の諸元（寸法、形状、重量など）は、１種類に統一して全ての駐車部５を同一に形成しても、２種類以上の複数種類混在として駐車部５の高さを複数種類にしてもよい。
【００２８】
さらに、入出庫部２２の階には制御盤６と充電器６１とが備えられている。制御盤６には制御装置６ａが内蔵されており、この制御盤６によって上記各部の動作を電気的に制御している。この制御盤６は、パレット呼び出しなどの指令入力及び装置の状況の表示等を行う運転盤（図示省略）、昇降台４１の位置や搭載車両の大きさなどを検出する各種センサ（図示省略）、駆動モータ４４を始めとする各種駆動装置（４４以外は図示省略）等と、配線（図示省略）を介して電気的に接続されている。
【００２９】
そして、この実施の形態の立体駐車設備１の駐車部５には、上記充電器６１に連係した駐車部側接続部を備える充電用駐車部５Ａと、充電機能を有さない一般用駐車部５Ｂとが設けられている。この実施の形態では、図の左側下部に高さ低空間Ｌと高空間Ｈの充電用駐車部５Ａがそれぞれ１箇所が設けられており、他の駐車部５は、一般用駐車部５Ｂとなっている。この実施の形態では、合計２箇所に充電用駐車部５Ａを備えているが、上記充電用駐車部５Ａの数や位置はこの実施の形態に限られるものではなく、１箇所でも３箇所以上でもよく、また入出庫部２２の直上に上下に並べる以外に、上層に向かい合わせで設ける等の配置でもよい。
【００３０】
また、充電用駐車部５Ａの左側方には、鉛直方向に駐車部側接続部である接触電線６２が敷設されている。この接触電線６２は、上記２箇所の充電用駐車部５Ａに設けられている。この接触電線６２は、後述する充電側接続部８を備えた充電用パレット５２Ａを格納して充電する位置に設けられる。
【００３１】
また、この立体駐車設備１には、上記充電器６１が２台（図１の紙面直交方向に配置されており、図では手前側の１台が見えている）備えられており、上記２箇所の充電用駐車部５Ａのそれぞれの箇所における充電系統を独立させている。この充電器６１は、この実施の形態では、短時間（例えば、１５分〜３０分）で満充電近く（約８０％）まで充電できる性能を有する急速充電器が採用されている。この充電器６１は、上記制御盤６からの指令によって充電開始、終了が制御されるとともに、電気車両に搭載されたバッテリに供給する充電電力の電圧をモニタして、所定電圧に達した場合は自動的に充電を終了し、その旨の信号を制御盤６にフィードバックする機能も有している。
【００３２】
なお、充電器６１は急速充電器に限られず、格納する電気車両に応じた適切なものを使用すればよい。また、その台数や設置位置も特に制限されるものではなく、例えば、複数の電気車両の充電に対応した充電器であれば、充電用駐車部５Ａの２箇所につき充電器６１を１台とする構成でもよい。
【００３３】
一方、上記パレット５２は、後述する充電側接続部８などの充電用部品を備えた充電用パレット５２Ａと、充電用部品を備えない一般用パレット５２Ｂとを有している。この実施の形態では、充電用パレット５２Ａが４枚、一般用パレット５２Ｂが３枚備えられている。これらのパレット５２の総数は７枚であり、駐車部５の数の８箇所に対して１つ少ない設定となっている。これら充電用パレット５２Ａと一般用パレット５２Ｂとは、いずれも駐車棚５１に移載する構成や車両用昇降台４１での搬送に関わる部分については、共通の形状、仕様となっている。
【００３４】
また、充電用駐車部５Ａに一般用駐車部５Ｂを加えた駐車部５の総数も任意であるが、駐車部５に格納する充電用パレット５２Ａに一般用パレット５２Ｂを加えたパレット総数は、最大枚数＝「駐車部総数−１」〜最小枚数＝「駐車部総数−充電用駐車部数」＝「一般用駐車部数」の範囲内で設定される。
【００３５】
上記立体駐車設備１は、このような２種類のパレット５２Ａ,５２Ｂにより、ガソリンエンジン等を駆動源とする一般自動車７Ｂ（Ｌ），７Ｂ（Ｈ）とともに、バッテリ７１を駆動源とする電気車両である電気自動車７Ａ（Ｌ），７Ａ（Ｈ）を格納し、この電気自動車７Ａ（Ｌ），７Ａ（Ｈ）の充電を可能としている。図では、電気車両に「Ｅ」を付している。これらの車両を総称する場合は、「車両７」という。
【００３６】
図２(a),(b) に示すように、上記充電用パレット５２Ａが上記充電用駐車部５Ａに格納された状態では、この充電用パレット５２Ａに備えられている充電側接続部８がパレット側接続部である集電装置８４を介して接触電線６２と接続されている。上記充電側接続部８は、ケーブル８２の先端に、電気自動車７Ａ（Ｌ）に搭載されたバッテリ７１にケーブル７３で接続されたバッテリ側接続部７２に対して着脱自在に接続されるコネクタ８３を備えている。図２では電気車両として、標準高さの電気自動車７Ａ（Ｌ）を示しているが、車高の高い電気自動車７Ａ（Ｈ）も同様の構成である。
【００３７】
また、この実施の形態では、図２(b) に示すように、電気自動車７Ａ（Ｌ）の前方（図中右側）にも充電側接続部８を設け、立体駐車設備１に内蔵された方向転換装置（ターンテーブル等；図示省略）によりパレット５２Ａが１８０°旋回した状態でも同様に充電が行なえるようにしている。また、これらの充電側接続部８は、バッテリ側接続部７２を車体前方に備える電気自動車の充電にも支障が無いよう、対角位置に設けている。図では、右側の充電側接続部８が未使用状態であり、コネクタ８３をスタンド８１に係止させた状態を示している。さらに、この実施の形態では、上述したように方向転換装置を内蔵しているので、上記集電装置８４を対角位置にも設けるとともに（図２(b) 中右側は図示省略）、片側に２個の集電装置８４を設けている。また、この集電装置８４に対応して接触電線６２も２本を並行して敷設している。
【００３８】
なお、この集電装置８４を対角位置にも設けるか否か、集電装置８４と接触電線６２の組み合わせの数等は、必要に応じて変更すればよい。また、充電器６１に対する電圧などの要求が異なる電気自動車を格納する必要がある場合は、接触電線、集電装置、充電器を複数系統設け、駐車部５ごとに、そのいずれかを割り当ててもよい。
【００３９】
また、この実施の形態の充電側接続部８（接続手段）は、充電用パレット５２Ａにコネクタ８３を備えるケーブル８２がスタンド８１に設けられた例を示したが、これらに限定されるものではなく、図３に示すように、コネクタ８３とケーブル８２に代えて、レセプタクル（通常の電源コンセントとは穴形状が異なるコンセント）を備えたスタンド８５を設けたり、図４に示すように、パレット５２Ａの中央隆起部に開口部８６を設けて、この開口部８６内にコネクタ付ケーブル８７を収納するようにしてもよく、充電側接続部８（接続手段）は、上記実施の形態以外の構成であってもよい。
【００４０】
次に、図１，図２(a),(b) に基いて、上記充電側接続部８のコネクタ８３から上記充電器６１までの接続経路を説明する。上記充電側接続部のコネクタ８３は、パレット５２に立設されたスタンド８１に係合離脱自在に設けられており、上記充電接続部のケーブル８２は、スタンド８１に沿って（内部、外部のいずれでもよい）パレット５２の下部に導かれて集電装置８４に接続されている。
【００４１】
一方、充電側接続部８を備えるパレット５２Ａを格納して充電する充電用駐車部５Ａに敷設された上記接触電線６２は、下端が配線６３を介して上記充電器６１に接続されている。この接触電線６２は、上記集電装置８４との接触部分が開口し、他の周囲は内部の導体を覆うシース（鞘）で囲まれており、このシースが充電用駐車部５Ａの壁又は構造物の所定位置に固定されている。
【００４２】
そして、上記充電用パレット５２Ａが充電用駐車部５Ａに送り込まれると、接触電線６２に向かって集電装置８４が接近して行き、この集電装置８４は、ガイド等の作用により適切に位置補正された上で接触電線６２に接触する。この集電装置８４は、図示しないスプリング等の付勢手段によって接触電線６２と確実に接触した状態が保たれるようになっている。この接触により、充電器６１→配線６３→接触電線６２→集電装置８４→ケーブル８２の経路で、充電側接続部８へ充電電力が供給される。
【００４３】
また、この実施の形態では、この充電器６１から充電用パレット５２Ａ上の充電が必要な電気自動車７Ａ（Ｌ），７Ａ（Ｈ）への電力供給を、充電用パレット５２Ａが充電用駐車部５Ａに格納され、集電装置８４が接触電線６２に接触するのと同時ではなく、昇降台４１からの払い出し動作が完了して、パレット横行手段が昇降台４１上に復帰した時点（搬送手段によるパレット搬送手順の所定段階の完了）で、上記充電器６１からの電力供給が開始されるように制御している。この制御機能は、上記制御盤６に内蔵された制御装置６ａが具備している。なお、パレット横行手段が昇降台４１上に復帰したことは、横行手段の駆動モータに接続されたロータリーエンコーダによって検出される。この制御により、充電用パレット５２Ａが充電用駐車部５Ａに格納されて、接触電線６２に集電装置８４が接触するときには接触電線６２に電圧がかかっていないため、接触時にアーク放電を生じることはない。
【００４４】
なお、一般用パレット５２Ｂは、上記集電装置８４を備えておらず、またそれ以外の部位では接触電線６２には触れない形状となっているので、充電用駐車部５Ａに格納しても接触電線６２に接触することはない。
【００４５】
また、上記接触電線６２とパレット側接続部である集電装置８４との接続手段については、上記接触電線６２と集電装置８４とによるものに限定されず、例えば、パレット側と駐車棚側とのコネクタをソレノイドによって係合離脱する方法や、受電側接点と給電側接点とを駐車部５のパレット移動経路上に対向して位置させて接触させる方法等、他の方法でもよい。
【００４６】
図５は、図１に示す立体駐車設備における運転盤の一例を示す正面図である。図示するように、上記立体駐車設備１に備えられる運転盤９としては、最上部に案内表示部９１（例えば、液晶ディスプレイ）が設けられ、その下方には、「スタート」ボタン９２、「空呼」ボタン９３、「取消」ボタン９４、「安全確認」ボタン９５、「暗証」ボタン９６、「終了扉閉」ボタン９７、及び「扉開」ボタン９８が設けられている。これらのボタンの側部には、テンキー９９と、「空車台数」及び「入庫台数」の表示部１００が設けられている。テンキー９９は、入出庫を行うパレット番号や暗証番号の入力等に使用される。
【００４７】
そして、上記表示部１００の下方には、入庫させる車両を選択する「入庫台数確認・空呼」ボタン１０１が設けられ、その下方に、「充電要」ボタン１０２、「充電不要」ボタン１０３、及び「再入庫」ボタン１０４が設けられている。さらに、最下部には、「制御電源」キー、「運転モード」キー、「運転管理」キー、待機モードの選択キー、及び「非常停止」ボタンが配設された事前準備部１０５が設けられている。
【００４８】
図６は、図１に示す立体駐車設備を専任管理者が入庫操作する場合のフローチャートである。この図に基いて、上記立体駐車設備１を専任管理者によって入庫操作する場合を説明する。以下の説明では、上記図１，２，５に示す構成にはその符号を付して説明する。
【００４９】
車両７を立体駐車設備１の入出庫部２２前に停車させ、まず、運転盤９にて、制御電源「入」、運転モード「自動」、運転管理「専任」として、運転事前準備を完了させる（Ｓ１）。次に、入庫時であるので「空呼」ボタン９３を押し（Ｓ２）、「入庫台数確認・空呼」ボタン１０１等で車両のサイズ（普通車等の低車高Ｌ又はミドルルーフ車、ハイルーフ車等の高車高Ｈ）などの車種選択条件を入力する（Ｓ３）。この時、上記運転盤９の操作としては、例えば、固定契約であれば、利用者あるいは契約している駐車部のＩＤをテンキー９９で入力する。
【００５０】
なお、このボタン操作を省略するように、図示しないカード入力手段により入力するだけで車両のサイズやその他の固有情報が入力されるようにしてもよい。この場合、契約している駐車部（又はパレット）が特定されていることで、空車・実車の状態から自動的に判断することができるので、入出庫の別を選択することは必ずしも必要ではない。
【００５１】
そして、立体駐車設備１に入庫させる車両が電気自動車７Ａ（Ｌ），７Ａ（Ｈ）で、充電が必要な場合は、入庫を開始する際の上記運転盤９の操作において、「充電要」ボタン１０２を押し（Ｓ４）、出庫予定時刻などの条件をテンキー９９で追加して入力する（Ｓ５）。
【００５２】
この例では、入庫の際に運転盤９で充電の要否を入力するようにしているが、この充電要否を運転盤９で入力するのに代えて、上述したコネクタ８３がバッテリ側接続部７２に接続されたことをもって、充電必要と判断するようにしてもよい。この判断としては、コネクタ８３に別途センサーを設けて接続を検出しても、コネクタ８３から先の回路が閉じていることを充電器６１側で検出して接続と判断するようにしてもよい。
【００５３】
このようにすれば、利用者は充電要否について特段の操作を必要としないので入力の煩雑さが解消されるとともに、入力間違い（例えば、バッテリ側接続部７２の状態と充電要否の入力が一致しない等）や、操作間違いにより「コネクタを挿したのに充電されていない」というトラブルを防止することができる。
【００５４】
また、充電の要否は、例えば全てのパレットが充電用パレットで格納時は常に充電が必要な場合や、契約上パレットが特定されていて、常に充電を行なうことが明白である場合などのケースでは入力不要であるし、特定の業態で、タ方入庫して翌朝出庫する形態がほぼ変わらないようなケースでは、出庫予定時刻の入力も不要であるなど、上記フローに限定されるものではない。
【００５５】
上述したように出庫予定時刻が入力されると、この実施の形態では、充電可否の確認が行われる（Ｓ６）。この充電可否の確認において充電可能とする判定は、その出庫予定時刻と現在時刻との間の時間に対し、充電待ち台数とそれらの充電所要時間の合計が短い場合であって、充電用パレット５２Ａの空きが有る場合に「可能」と判定される。つまり、（（出庫予定時刻−現在時刻−充電所要時間）≧（充電待ち台数＊充電所要時間）ａｎｄ充電用パレットの空き有））の場合に「可能」となる。
【００５６】
この充電可否確認において「不可能」と判定された場合は、「出庫時刻までに充電ができない」旨がアナウンスされ、出庫時刻の変更、入庫中止、又は「充電不要」ボタン１０３を押すことにより（Ｓ７）、入庫操作を続けることができる。その後、周囲の安全を確認した後、「スタート」ボタン９２を押すことにより（Ｓ８）、乗り入れが開始される。上記充電可否確認で充電可能と判断された場合には、次にこの「スタート」ボタン９２を押す動作になる。また、上記入庫中止を選択する場合は、「取消」ボタン９４を押して（Ｓ９）終了する。
【００５７】
上記操作によって乗入れが開始されると、制御装置６ａは、入力された条件に基づき、その車両の車高に適した駐車部５Ａ，５Ｂ（車両７Ａ（Ｌ）であれば高さＬ又は高さＨのいずれか、車両７Ａ（Ｈ）であれば高さＨ）の内の、車両を未搭載の（空いている）パレット５２を、格納している駐車部５から昇降台４１に移載する。
【００５８】
この入庫のために入出庫部２２に取り出すパレット５２は、電気自動車７Ａ（Ｌ），７Ａ（Ｈ）に充電が必要な場合には充電用パレット５２Ａとなるが、これを取り出す駐車部は充電用駐車部５Ａでも一般の駐車部５Ｂでもよい。さらに、電気自動車７Ａ（Ｌ），７Ａ（Ｈ）でない場合や、電気自動車７Ａ（Ｌ），７Ａ（Ｈ）でも充電が不要な場合は、一般用パレット５２Ｂを優先して使用するが、空きがない場合は充電用パレット５２Ａを使用してもよい。
【００５９】
次に、昇降台４１を最下段の入出庫部２２に降下させて、入出庫口を開放する。これにより、利用者は電気自動車７Ａ（Ｌ），７Ａ（Ｈ）を自走させてパレット５２上に搭載する。そして、搭載した電気自動車７Ａ（Ｌ），７Ａ（Ｈ）のバッテリ７１を充電する必要がある場合は、充電側接続部８のコネクタ８３を電気自動車７Ａ（Ｌ），７Ａ（Ｈ）のバッテリ側接続部７２に接続する。このとき、車両側で充電待機状態への切り替えが必要であれば適宜行う。
【００６０】
その後、電気自動車７Ａ（Ｌ），７Ａ（Ｈ）を搭載したパレット５２は、空いている駐車部５の側方に昇降台４１が移動させられ、パレット５２ごと駐車棚５１に移載されて格納される。
【００６１】
この車両７を搭載したパレット５２の格納先である、上記「空いている駐車部５」は、格納しようとしているパレット５２を取り出した元の駐車部５の他に、上述した通り、駐車部５の数に対してパレット５２の総数が１つ少ないので、その空いた１つの駐車部５でもよい。電気自動車７Ａ（Ｌ），７Ａ（Ｈ）で充電が必要な場合で、空いている駐車部の少なくとも一方が上記充電用駐車部５Ａの場合は、充電用駐車部５Ａに格納すれば、すぐにでも充電を開始することができる。逆に、電気自動車７Ａ（Ｌ），７Ａ（Ｈ）でない場合や、電気自動車７Ａ（Ｌ），７Ａ（Ｈ）でも充電が不要な場合は、他の電気自動車７Ａ（Ｌ），７Ａ（Ｈ）の充電に備えて、一般の駐車部５Ｂに格納することが望ましい。なお、空いている駐車部５がいずれも充電用駐車部５Ａである場合は、そこに格納しても、前述の通りパレット５２Ｂに通電されることはなく、パレット５２Ａを使用した場合でも、コネクタを接続していないので問題はない。
【００６２】
このようにして入庫が完了すると、入庫作業による駐車エリアの番号及び入庫時に入力した情報等が制御装置６ａに記憶される。
【００６３】
図７は、図１に示す立体駐車設備を運転者自身が入庫操作する場合のフローチャートであり、図示するように、運転者自身が立体駐車設備１を運転操作する場合には、上記図６における「運転事前準備完了」（Ｓ１）の後、暗証番号が入力され（Ｓ１０）、これによりパレット番号割り当てが行われる（Ｓ１１）。このパレット番号割り当てとしては、契約者であるかの確認、契約パレット番号の検索又は利用可能パレットの随時割り当て、電気車両ユーザーの判定、等が行われる。そして、電気ユーザーであれば、上記図６の「Ａ」位置へと進み、電気ユーザーで無ければ、図６の「Ｂ」位置へと進む。その他は、上記図６と同一で有るため、説明は省略する。
【００６４】
図８は、図１に示す立体駐車設備を時間貸し／固定契約した場合における出庫時のフローチャートであり、図９は、図８に示す立体駐車設備における乗入れ／乗出し後の運転操作を示すフローチャートである。この例は、例えば、マンションなどのような固定契約と、格納車両が定まらない時間貸し駐車場などを例にしている。
【００６５】
この場合には、開始後、番号入力が行われる（Ｓ２０）。この番号入力としては、時間貸しの場合は入庫時に「呼番号」窓に表示されたパレット番号、固定契約の場合には暗証番号が入力される。
【００６６】
この番号入力により、「パレット番号割り当て」が行われ（Ｓ２１）、充電の要否が判断される。充電が必要であった場合は、充電が完了しているか否かが判断され、充電が完了していなければ「充電が完了していません」というメッセージが案内表示部９１に表示され、再入庫するか否かの判断がなされる。再入庫する場合は、「再入庫」ボタン１０４が押される（Ｓ２２）。上記充電が不要な場合と、上記再入庫しない場合には、「スタート」ボタン９２を押すと（Ｓ２３）、入庫していた車両が入出庫部２２に配置されるので、利用者が車両に乗り込んで乗り出すことができる。
【００６７】
図９に示すように、この乗り出しと乗入れの完了時には、入出庫部周辺の安全確認が行われ（Ｓ３０）、安全であれば、「安全確認」ボタン９５を押すことにより（Ｓ３１）、装置内の安全ロックが解除され（Ｓ３２）、「終了扉閉」ボタン９７を押すことにより（Ｓ３３）、一連の入出庫操作が終了する。
【００６８】
以上の運転操作方法は一例であり、これらの他、充電に関する電力料金を個別に計測して徴収するかどうかなどによっても、運転操作方法は一様ではなく、上記実施の形態に限定されるものではない。
【００６９】
図１０は、図１に示す立体駐車設備において電気車両に充電する流れを示すフローチャートである。上記立体駐車設備１では、待機中の適切なタイミングで、入庫している充電用パレット５２Ａを入替えて順次電気自動車７Ａ（Ｌ），７Ａ（Ｈ）に充電するように制御される。以下、入庫した電気自動車７Ａ（Ｌ），７Ａ（Ｈ）に対する入替えと充電を行なう手順の一例を説明する。
【００７０】
図示するように、まず充電用駐車部５Ａに空きがあるか否かが判断され（Ｓ４０）、有れば充電待ちの有無が判断される（Ｓ４１）。
【００７１】
そして、この実施の形態では、空いている充電用駐車部５Ａの高さが判断された後（Ｓ４２）、その充電用駐車部５Ａの高さ毎に充電待ちが複数あるか否かが判断される（Ｓ４３）。この判断で充電待ちが複数ある場合には、出庫予定時間の最も早い車両が選択され（Ｓ４４）、その車両が充電用駐車部５Ａに移動させられる（Ｓ４５）。この出庫予定時間の最も早い車両の選択（Ｓ４４）では、上記空いている充電用駐車部５Ａが高空間Ｈの場合には、電気自動車７Ａ（Ｌ），７Ａ（Ｈ）の両方のいずれでも移動させられ、低空間Ｌの場合には、電気自動車７Ａ（Ｌ）のみが移動させられる。
【００７２】
その後、電気自動車７Ａ（Ｌ），７Ａ（Ｈ）を搭載した充電用パレット５２Ａが充電用駐車部５Ａに移動させられて「充電開始」がなされる（Ｓ４６）。この実施の形態では、上述したように、この充電用パレット５２Ａの充電用駐車部５Ａへの格納時において、駐車部側接続部である接触電線６２とパレット側接続部である集電装置８４との接触時におけるアーク放電等を防止するようにしている。つまり、この通電開始を、駐車部側接続部とパレット側接続部の接続とから遅れた別のタイミングで行うようにして、接続手段が接触する際の放電や突入電圧による機器の損傷、劣化を防いでいる。
【００７３】
そして、「充電終了」が検知される（Ｓ４７）。この充電終了は、この実施の形態では、制御装置（制御盤６）が通電を終了させる条件を、通電を開始してから所定の時間が経過したこと、充電中のパレットに対して出庫呼びがかかったこと、充電電流（又は電圧）が所定の値に達したこと、のいずれか又は任意の組み合わせとしている。この通電終了時も、駐車部側接続部とパレット側接続部とを離す前の別のタイミングで通電を終了させるようにして、接続手段が離れる際の放電等を防いでいる。
【００７４】
また、通電を開始してから所定の時間が経過したことを通電終了の条件とする場合、充電器６１が急速充電器であって、標準の急速充電所要時間が、例えば１５分であることが予め分かっており、充電前の充電対象車両のバッテリ充電量がある程度残っていて充電が早期に完了した場合でも、充電器６１自身がそれを検知して過充電とならないよう充電を自動停止する機能を持っていれば、充電器からの情報を取得することなく、立体駐車設備１の制御装置６ａが単独で充電の終了を判断、実行するようにしてもよい。但し、充電器に自動停止機能がなくても、通電したまま接続部が離脱することによって不都合を起こさないバッテリ、又は不都合を起こさない程度の超過時間であれば問題はない。また、標準の充電所要時間があまり長くないのであれば、実際の充電が完了していて、そのまま待機している時間があったとしても、充電待ちの電気車両の回転率低下も問題とならない。
【００７５】
さらに、充電中のパレットに対して出庫呼びがかかったことを通電終了の条件とする場合、利用者が充電よりも自動車利用を優先するのであれば、出庫呼びに即座に対応して通電を終了し、続けて出庫することで、利用者の自動車使用に滞りが出ないようにできる。逆に、充電を優先させるのであれば、この条件を適用せず、「出庫呼び」に対して「充電が完了していない」旨の応答を案内表示部９１に表示させ、充電を待って出庫を行なうようにすればよい。
【００７６】
また、充電電流（又は電圧）が所定の値に達したことを通電終了の条件とする場合、充電器６１又は制御装置６ａが充電電流（又は充電電圧）をモニタし、所定の値に達した時点で充電を終了するので、バッテリ７１が過充電になることもなく、逆に、充電不足になることもないので、適切な充電を行なうことができる。これは、現在主流になりつつあるリチウムイオン電池では過充電により発熱するので、このような条件で通電終了を制御することが有効となる。
【００７７】
以上の条件の他、バッテリ温度や駐車塔内の気温を通電開始、終了の条件に加えてもよい。これらの条件によれば、リチウムイオン電池をはじめとする二次電池で、充電により発熱したり、周囲温度の影響で電池の劣化や充電容量の低下を起こすものが知られているので有効である。上記「充電終了」の判定は、例えば、単に充電用駐車部５Ａでのパレット滞在時間であってもよいし、後述するように、通電終了を充電終了として扱っても、その他の方法によってもよい。
【００７８】
なお、これらの条件は単独で適用することに限らず、相互の組み合わせ（例えば、経過時間と所定電圧のいずれか早い方など）や、他の条件、例えば、入庫時に入力するようにした条件（例えば、電気料金の上限など）を判断に加えたり、深夜料金の契約時間内のみ通電するなど、の組み合わせとしてもよい。
【００７９】
その後、充電終了した電気自動車７Ａ（Ｌ），７Ａ（Ｈ）は、一般の駐車部５Ｂに移動させられる（Ｓ４８）。
【００８０】
このようにして１台の電気自動車７Ａ（Ｌ），７Ａ（Ｈ）の充電が完了すると、上記充電待ち有無の判断に戻り、充電待ちの電気自動車７Ａ（Ｌ），７Ａ（Ｈ）に応じた充電用駐車部５Ａに電気自動車７Ａ（Ｌ），７Ａ（Ｈ）が順次移送されて充電が順次行われる。
【００８１】
このように、充電作業は、予め運転盤９にて充電の要否が入庫の際に入力されて、その制御装置６ａに記憶されている情報に基いて、充電用駐車部５Ａの使用状況、充電が必要な電気自動車７Ａ（Ｌ），７Ａ（Ｈ）の台数と、それぞれの出庫予定時間などから、優先順位を付けて、順次充電用駐車部５Ａと一般の駐車部５Ｂとの間で電気自動車７Ａ（Ｌ），７Ａ（Ｈ）を搭載した充電用パレット５Ａの入替えを行ない、順次充電を完了させて行く。
【００８２】
実際のパレット入替動作の一例としては、充電用駐車部５Ａから一般の駐車部５Ｂに移送する場合、上記入庫時の動作と同様に、昇降台４１を駐車部５Ａの側方に移動させ、パレット５２Ａごと昇降台４１上に移載し、昇降台４１を移動先の一般の駐車部５Ｂの側方まで移動させた後、パレット５２Ａごと駐車棚５１に移載して入替動作を完了する。一般の駐車部５Ｂから充電用駐車部５Ａへの入替え動作は、この逆の手順となる。
【００８３】
また、上記車両を出庫する場合は、上記昇降台４１を出庫する車両の側方に移動させた後、上記パレット５２ごと車両を駐車棚５１から昇降台４１に移載し、この昇降台４１を入出庫部２２に降下させて車両を出庫する。この時、その車両が充電の必要な電気自動車７Ａ（Ｌ），７Ａ（Ｈ）であった場合は、車両が入出庫部２２に到着した後、自走で退出するに先立ち、必要であれば車両に対する切り替え操作を行った後、充電側接続部８のコネクタ８３と電気自動車７Ａ（Ｌ），７Ａ（Ｈ）のバッテリ側接続部７２の接続を解除する。
【００８４】
一方、本発明にかかる立体駐車設備１は、駐車部５の総数に対してパレットを１枚乃至複数枚少なくした数となっているので、空いている駐車部５が常にある。そのため、この空いている駐車部５を利用することで、あるパレットを他の駐車部５に移送する場合、まず移送先の駐車部５にあるパレットを空いている駐車部に一旦移送して空け、ここに目的のパレットを移送し、更に一旦空き駐車部５に移送しておいたパレットを、移動元の駐車部５に移送するという手順で格納位置を変更することが可能となっている。
【００８５】
従って、立体駐車設備１の待機時間中に、出庫の集中する時間帯に先立ち実車パレットを入出庫口近くの低層の駐車部５に集めたり、入庫の集中する時間帯に先立ち空車パレットを入出庫口の近くに集めたりすることも可能である。このように立体駐車設備１の待機時間中にパレット５２を移動して、入庫や出庫の時間を短縮するということや、ハイルーフ車等を駐車できる高空間Ｈの駐車部５の普通車を低空間Ｌの駐車部５に移動して、高空間Ｈの駐車部５を有効利用する機能を制御装置６ａに追加してもよい。なお、上記実施の形態の立体駐車設備１の場合、車高の高い車と低い車を混載するようにしているので、全てを入替可能とするために、当初の空き駐車部５を車高の高い車用の駐車部５にして、車高の高い車も低い車も一旦預けておくことができるようにすればよい。
【００８６】
さらに、上記運転盤９に備えられた案内表示部９１を利用し、入庫の際に記憶された駐車エリアの番号と、通電終了（充電完了）の情報を連係させて、出庫呼び出し時に各種メッセージを表示させるようにしてもよい。例えば、充電が完了していない場合等、その充電結果の理由と併せて表示するようにすれば、利用者は乗車前に充電結果を知ることができ、その結果の対応を迅速に行うことができる。すなわち、充電が完了するまでに出庫呼びがかかった場合や、バッテリー温度により充電が完了しなかった場合等、それらの情報は立体駐車設備１側では分かっているので、これを上記案内表示部９１に表示することは可能であり、理由を表示することで、利用者は乗車前に充電結果を見て、再入庫すれば充電できるかどうかの判断も可能となり、改めて入庫して充電を行なうか、近距離であれば、残りの充電量で所要の距離を走行するか等を迅速に選択して対応することができる。
【００８７】
以上のように、上記立体駐車設備１によれば、充電設備を備えた充電用駐車部５Ａの数に対して充電用パレット５２Ａを数多く備え、入庫時に充電用パレット５２Ａに備えられたコネクタ８３を電気自動車７Ａ（Ｌ），７Ａ（Ｈ）のバッテリ側接続部７２に接続しておくだけで、入出庫の閑散時等に、充電用駐車部５Ａにおける電気自動車７Ａ（Ｌ），７Ａ（Ｈ）への充電完了後、他の駐車部５の充電用パレット５２Ａと入替えて、自動的に複数の電気自動車７Ａ（Ｌ），７Ａ（Ｈ）に順次充電することができるので、最少限の充電設備を有効に活用し、多数の電気自動車７Ａ（Ｌ），７Ａ（Ｈ）に対して充電することができ、コストやスペースを抑えつつ、充電のための利便性を向上させることができる。
【００８８】
つまり、高価でスペースを要する充電器の個数を抑えつつ、充電器６の稼働率を高めることで、充電設備を最低限に抑えて、多くの電気自動車７Ａ（Ｌ），７Ａ（Ｈ）に効率良く充電をすることができる。また、充電機能を備えていない既設の立体駐車設備においても、充電機能をもたせるように改造することが容易に可能である。
【００８９】
なお、上記実施の形態では、エレベータ式の立体駐車設備１を例に説明したが、搬送装置でパレットを駐車棚に格納する任意の方式の立体駐車設備であれば同様に適用することができ、例えばエレベータスライド方式や平面往復式等においても、充電用駐車棚にパレットを格納する構成の立体駐車設備であれば同様に適用することができる。
【００９０】
また、駐車部５の位置も入出庫口の上方に限定されず、その個数も増減自由であるとともに、専用の駐車棟に代えて住戸用のビル内に設けた空間に設置しても良く、この実施の形態に限定されるものではない。
【００９１】
さらに、電気自動車の普及度合いに合わせ、当初は最小限で同数の充電用駐車部５Ａと充電用パレット５２Ａを備えた立体駐車設備１とし、電気自動車の需要が増えた時点で、必要数の充電用パレット５２Ａに入れ替えるとともに、パレット総数を１枚減じて上述したような構成に変更するという運用をすれば、初期費用、改造費用ともに抑制することができる。
【００９２】
また、上述した実施の形態は一例を示しており、本発明の要旨を損なわない範囲での種々の変更は可能であり、本発明は上述した実施の形態に限定されるものではない。
【産業上の利用可能性】
【００９３】
本発明に係る充電機能を備えた立体駐車設備は、充電が必要な電気車両を駐車中の時間を利用して効率的に充電したい立体駐車設備において利用できる。
【図面の簡単な説明】
【００９４】
【図１】本発明をエレベータ式立体駐車設備に適用した一実施の形態を示す全体正面図である。
【図２】図１に示す立体駐車設備の駐車部における電気自動車の充電状態を示すパレットの図面であり、(a) は背面図、(b) は側面図である。
【図３】図２に示す駐車部における充電用パレットの一例を示す正面図である。
【図４】図２に示す駐車部における充電用パレットの他の例を示す平面図である。
【図５】図１に示す立体駐車設備における運転盤の一例を示す正面図である。
【図６】図１に示す立体駐車設備を専任管理者が入庫操作する場合のフローチャートである。
【図７】図１に示す立体駐車設備を運転者自身が入庫操作する場合のフローチャートである。
【図８】図１に示す立体駐車設備を時間貸し／固定契約した場合における入出庫時のフローチャートである。
【図９】図８に示す立体駐車設備における乗入れ／乗出し後の運転操作を示すフローチャートである。
【図１０】図１に示す立体駐車設備において電気車両に充電する流れを示すフローチャートである。
【符号の説明】
【００９５】
１  立体駐車設備
２  駐車塔
２２  入出庫部
３  駐車装置
４  昇降装置
４１  車両用昇降台
５  駐車部
５Ａ  充電用駐車部
５Ｂ  一般用駐車部
５２  パレット
５２Ａ  充電用パレット
５２Ｂ  一般用パレット
６  制御盤
６ａ  制御装置
６１  充電器
６２  接触電線
７  車両
７Ａ  電気自動車
７Ｂ  一般自動車
８  充電側接続部
８１  スタンド
８２  ケーブル
８３  コネクタ
８４  集電装置
９  運転盤
【図１】
2010112027.tif 000003
【図２】
2010112027.tif 000004
【図３】
2010112027.tif 000005
【図４】
2010112027.tif 000006
【図５】
2010112027.tif 000007
【図６】
2010112027.tif 000008
【図７】
2010112027.tif 000009
【図８】
2010112027.tif 000010
【図９】
2010112027.tif 000011
【図１０】
2010112027.tif 000012